(57)【要約】【課題】映像信号を表示素子の複数チャンネルの表示電極に並列化して供給する駆動方式の表示装置において、使用環境の変化や経時変化とは無関係に、且つ、駆動回路の回路規模の大型化等を招くことなく、チャンネル間での輝度の偏差を補正する。【解決手段】表示素子２１からの光を検出する光検出手段３と、表示素子２１の１チャンネルずつの表示電極に所定レベルの信号を供給する信号供給手段４と、信号供給手段４によって各チャンネルの表示電極に所定レベルの信号が供給された際の光検出手段３の検出結果に基づき、チャンネル間での輝度の偏差を補正する補正手段７とを備える。【選択図】　　　　　　図２
2004053675.tif 000002
【特許請求の範囲】
【請求項１】
映像信号を表示素子の複数チャンネルの表示電極に並列化して供給する駆動方式の表示装置において、
前記表示素子からの光を検出する光検出手段と、
前記複数チャンネルのうちの１チャンネルずつの表示電極に、所定レベルの信号を供給する信号供給手段と、
前記信号供給手段によって前記複数チャンネルのうちの各々のチャンネルの表示電極に前記所定レベルの信号が供給された際の前記光検出手段の検出結果に基づき、前記複数チャンネルの間での輝度の偏差を補正する補正手段と
を備えたことを特徴とする表示装置。
【請求項２】
請求項１に記載の表示装置において、
前記表示装置内の駆動回路は、映像信号を前記複数チャンネルに並列化する並列化手段を含んでおり、
前記信号供給手段は、前記所定レベルの部分を含む信号を前記並列化手段で並列化させることにより、前記複数チャンネルのうちの１チャンネルずつの表示電極に前記所定レベルの信号を供給することを特徴とする表示装置。
【請求項３】
請求項１または２に記載の表示装置において、
前記表示装置内の駆動回路は、前記複数チャンネルの映像信号をそれぞれ増幅する複数の増幅手段を含んでおり、
前記補正手段は、前記複数チャンネルのうちの特定のチャンネルを基準として残りのチャンネルからの光量をこれに一致させるためのゲインの補正値のデータを前記増幅手段に与えることを特徴とする表示装置。
【請求項４】
映像信号を表示素子の複数チャンネルの表示電極に並列化して供給する駆動方式の表示装置における前記複数チャンネルの間の輝度の偏差を補正する方法において、
前記複数チャンネルのうちの１チャンネルずつの表示電極に所定レベルの信号を供給して前記表示素子からの光を検出する過程を、前記複数チャンネルの各々について繰り返す第１のステップと、
前記第１のステップでの検出結果に基づき、前記複数チャンネルの間での輝度の偏差を補正する第２ステップと
を有することを特徴とする輝度補正方法。
【発明の詳細な説明】
【０００１】
【発明の属する技術分野】
本発明は、映像信号を表示素子の複数チャンネルの表示電極に並列化して供給する駆動方式の表示装置や、この駆動方式の表示装置において各チャンネル間の輝度の偏差を補正する方法に関する。
【０００２】
【従来の技術】
液晶表示装置には、液晶の応答速度の遅さを補うために、映像信号を液晶パネルの複数チャンネルの表示電極に並列化して供給する駆動方式のものが存在する。
【０００３】
図６は、この駆動方式の液晶表示装置の駆動回路及び液晶パネルの部分を示す図である。液晶パネル２１は、Ｎチャンネルの表示電極Ｓｉｇ１〜ＳｉｇＮをＭ組有している。
【０００４】
液晶表示装置内の映像処理回路（図示略）で画質改善や画素変換等の処理を施された映像信号が、駆動回路１１内の並列化回路（サンプルホールド回路）１２に供給される。並列化回路１２には、図７に示すような、走査電極１本あたりの走査期間をＮ×Ｍ分割した周期の並列化クロックが与えられる。
【０００５】
並列化回路１２は、供給された映像信号を、この並列化クロックのタイミングでサンプリングして出力端子ｏ１〜ｏＮから順次繰り返して出力することにより、Ｎチャンネルに並列化する。
【０００６】
これらのＮチャンネルの映像信号は、それぞれ増幅回路１３−１〜１３−Ｎで増幅された後、駆動回路１１から液晶パネル２１に送られる。
【０００７】
液晶パネル２１では、駆動回路１１からのＮチャンネルの映像信号が、スイッチＳＷの切り換え動作により、走査電極１本あたりの走査期間をＭ分割した期間毎に、１組目の表示電極Ｓｉｇ１〜ＳｉｇＮ，２組目の表示電極Ｓｉｇ１〜ＳｉｇＮ，…Ｍ組目の表示電極Ｓｉｇ１〜ＳｉｇＮに順次切り換えて供給される。
【０００８】
これにより、映像信号が液晶パネル２１のＮチャンネルの表示電極Ｓｉｇ１〜ＳｉｇＮに並列化して供給される。
【０００９】
このように映像信号を複数チャンネルの表示電極に並列化して供給することにより、１チャンネル当たりの映像信号の帯域幅を狭くすることができるので、表示を高精細化することができる。
【００１０】
しかし、この駆動方式では、個々の増幅器１３−１〜１３−Ｎのゲインに偏差が存在することを原因として、駆動回路１１から液晶パネル２１に送られる個々のチャンネルの映像信号のレベルに偏差が生じることがある。
【００１１】
このようにチャンネル間で映像信号のレベルに偏差が生じると、液晶パネル２１の或るチャンネルの表示電極上の画素の輝度と他のチャンネルの表示電極上の画素の輝度とに偏差が生じることにより、図８に示すように、液晶表示装置の表示画面５１における或るチャンネルの位置に縦筋状のノイズ５２が表示されてしまう。
【００１２】
従来、この液晶パネル２１のチャンネル間での輝度の偏差を補正する方法としては、次の（１）や（２）の方法が採られていた。
【００１３】
（１）製造時やメンテナンス時に、人手によって、増幅器１３−１〜１３−Ｎからの映像信号のレベルの偏差を測定して、それらの映像信号のレベルが均一になるように増幅器１３−１〜１３−Ｎのゲインを調整する。
【００１４】
（２）駆動回路１１内に、各増幅器１３−１〜１３−Ｎからの映像信号のレベルを検出する回路と、その検出結果に基づいて増幅器１３−１〜１３−Ｎのゲインをフィードバック制御する回路とを設ける。
【００１５】
【発明が解決しようとする課題】
しかし、上記（１）の方法には、チャンネル数が多くなるほど調整工数が多くなるとともに調整のための部品（測定器や調整器）の点数が多くなってしまうという不都合や、出荷後やメンテナンス後に使用環境（温度等）の変化や経時変化によって増幅器１３−１〜１３−Ｎのゲインに偏差が生じてしまうことがあるという不都合があった。
【００１６】
また、上記（２）の方法には、チャンネル数が多くなるほど、レベル検出回路等の数が増加するので駆動回路１１の回路規模が大きくなるという不都合があった。
【００１７】
また、上記（１），（２）のいずれの方法にも、増幅器１３−１〜１３−Ｎのゲインの偏差を原因とするチャンネル間での輝度の偏差を補正することはできるが、液晶パネル２１自体の特性を原因とするチャンネル間での輝度の偏差は補正できないという不都合があった。
【００１８】
本発明は、上述の点に鑑み、映像信号を表示素子の複数チャンネルの表示電極に並列化して供給する駆動方式（以下、単に「並列化駆動方式」とも呼ぶことにする）の表示装置において、従来のような不都合を伴うことなく、チャンネル間での輝度の偏差を補正することを課題としてなされたものである。
【００１９】
【課題を解決するための手段】
この課題を解決するために、本出願人は、映像信号を表示素子の複数チャンネルの表示電極に並列化して供給する駆動方式の表示装置において、この表示素子からの光を検出する光検出手段と、これらの複数チャンネルのうちの１チャンネルずつの表示電極に所定レベルの信号を供給する信号供給手段と、この信号供給手段によって各チャンネルの表示電極に所定レベルの信号が供給された際の光検出手段の検出結果に基づき、これらの複数チャンネルの間での輝度の偏差を補正する補正手段とを備えたものを提案する。
【００２０】
この表示装置では、表示素子からの光が光検出手段で検出される。また、表示素子の複数チャンネルの表示電極のうちの１チャンネルずつの表示電極に、信号供給手段によって所定レベルの信号が供給される。
【００２１】
これにより、表示素子の１つずつのチャンネルの表示電極上の画素からの光がそれぞれ検出される。そして、この検出結果に基づいて、補正手段によって複数チャンネルの間での輝度の偏差が補正される。
【００２２】
このように、この表示装置によれば、表示装置単体で、表示素子の各チャンネルからの光の検出結果に基づいて、これらのチャンネル間での輝度の偏差が補正される。
【００２３】
したがって、例えば製造時やメンテナンス時にこの補正を行う場合には、前述の従来の方法（１）のような調整工数及び部品点数の増加を招くことなく補正を行うことができる。
【００２４】
また、出荷後やメンテナンス後の通常の使用時にもこの補正を行うことができるので、従来の方法（１）とは異なり、使用環境の変化や経時変化とは無関係に補正を行うことができる。
【００２５】
また、表示装置内の駆動回路には出力信号レベルの偏差の検出回路やフィードバック制御回路を設ける必要がないので、前述の従来の方法（２）のような駆動回路の回路規模の大型化を招くことなく補正を行うことができる。
【００２６】
また、表示素子自体からの光の検出結果に基づいて補正を行うので、従来の方法（１）や（２）とは異なり、表示素子自体の特性を原因とするチャンネル間での輝度の偏差も補正することができる。
【００２７】
なお、この表示装置内の駆動回路が、映像信号を複数チャンネルに並列化する並列化手段（図６の並列化回路１２に相当するもの）を含んでいる場合には、信号供給手段は、一例として、所定レベルの部分を含む信号をこの並列化手段で並列化させることにより、複数チャンネルのうちの１チャンネルずつの表示電極に所定レベルの信号を供給するものであることが好適である。
【００２８】
それにより、表示素子の各チャンネルからの光を検出するための信号（表示素子の１チャンネルずつの表示電極に供給する所定レベルの信号）を、駆動回路内のこの並列化手段を利用して作成することができるので、輝度補正用の信号処理系の回路規模を最小限に抑えることができるようになる。
【００２９】
また、この表示装置内の駆動回路が、複数チャンネルの映像信号をそれぞれ増幅する複数の増幅手段（図６の増幅回路１３−１〜１３−Ｎに相当するもの）を含んでいる場合には、補正手段は、一例として、複数チャンネルのうちの特定のチャンネルを基準として残りのチャンネルからの光量をこれに一致させるためのゲインの補正値のデータをこの増幅手段に与えることによって補正を行うようにすればよい。
【００３０】
次に、本出願人は、映像信号を表示素子の複数チャンネルの表示電極に並列化して供給する駆動方式の表示装置におけるこれらの複数チャンネルの間の輝度の偏差を補正する方法において、これらの複数チャンネルのうちの１チャンネルずつの表示電極に所定レベルの信号を供給してこの表示素子からの光を検出する過程を、これらの複数チャンネルの各々について繰り返す第１のステップと、この第１のステップでの検出結果に基づき、これらの複数チャンネルの間での輝度の偏差を補正する第２ステップとを有するものを提案する。
【００３１】
この輝度補正方法によれば、表示素子の各チャンネルからの光の検出結果に基づいてこれらのチャンネル間での輝度の偏差を補正するので、駆動回路の回路規模の大型化を招くことなくチャンネル間での輝度の偏差を補正することができるとともに、表示素子自体の特性を原因とするチャンネル間での輝度の偏差も補正することができる。
【００３２】
【発明の実施の形態】
以下、本発明をリア式（背面投射式）液晶プロジェクタに適用した例を、図面を用いて具体的に説明する。
【００３３】
図１は、本発明を適用した並列化駆動方式のリア式液晶プロジェクタにおける、光検出手段としてのフォトダイオードの取り付け箇所を示す。リア式液晶プロジェクタ１のスクリーン２の内側の面（外部に露出していないほうの面）の周辺部（有効表示領域外の部分）の四隅に、それぞれ光拡散材（図示略）を介してフォトダイオード３が取り付けられている。
【００３４】
各フォトダイオード３は、スクリーン２上において、液晶パネルの一組のチャンネルの表示電極（図６では表示電極Ｓｉｇ１〜ＳｉｇＮ）からの光が投射される範囲にまたがる大きさを有している。
【００３５】
図２は、このリア式液晶プロジェクタ内の輝度補正用の信号処理系を駆動回路路及び液晶パネルとともに示しており、図６と共通する部分には同一符号を付している。
【００３６】
この輝度補正用の信号処理系は、信号発生回路４，検出信号入力回路５，積分回路６，補正データ生成回路７，セレクタ８及び制御回路９を含んでいる。駆動回路１１，液晶パネル２１は、それぞれ図６に示したのと同じ構成である。制御回路９は、信号発生回路４〜セレクタ８を制御するとともに、駆動回路１１内の並列化回路１２を制御する。
【００３７】
信号発生回路４には、駆動回路１１内の並列化回路１２に与えられる並列化クロックの周波数と、液晶パネル２１のチャンネル数と、スタートタイミングとを示す制御信号が制御回路９から与えられる。
【００３８】
信号発生回路４は、この制御信号に基づき、図３に示すように、最初に、並列化クロック（図７に示したのと同じもの）のＮ個おきのパルスの発生タイミング毎にグレー（中間輝度）レベルになるとともにそれ以外のタイミングでは黒レベルになるパルス状の内蔵信号を発生し、この内蔵信号をセレクタ８の一方の選択入力端子に送る。
【００３９】
セレクタ８の残りの一方の選択入力端子には、このリア式液晶プロジェクタ内の映像処理回路（図示略）からの映像信号が入力する。制御回路９からは、セレクタ８に選択制御信号が与えられる。
【００４０】
セレクタ８の出力信号は、駆動回路１１内の並列化回路１２に供給される。並列化回路１２には、サンプリングの位相を切り換える制御信号が制御回路９から与えられる。
【００４１】
検出信号入力回路５には、図１の各フォトダイオード３の出力信号が供給される。制御回路９からは、これらの出力信号の取り込みタイミングを制御する制御信号が検出信号入力回路５に与えられる。検出信号入力回路５は、取り込んだ各フォトダイオード３の出力信号を、それぞれ増幅した後互いに加算して、積分回路６に送る。
【００４２】
積分回路６は、制御回路９からの制御信号に基づき、検出信号入力回路５からの信号を平均化し、この平均化した信号を補正データ生成回路７に送る。
【００４３】
補正データ生成回路７は、液晶パネル２１の各チャンネルについての光の検出結果をそれぞれ記憶する領域を有するメモリ７ａを有しており、制御回路９からの制御信号に基づき、積分回路６からの信号の値をメモリ７ａに記憶する。
【００４４】
補正データ生成回路７は、制御回路９からの制御信号に基づき、このメモリ７ａに記憶した各チャンネルについての光の検出結果の偏差を求める。そして、特定のチャンネル（例えば１チャンネル目）を基準として残りのチャンネルからの光量をこれに一致させるための駆動回路１１内の増幅回路１３−１〜１３−Ｎのゲインの補正値のデータ（１チャンネル目を基準とする場合には増幅回路１３−１を除く増幅回路１３−２〜１３−Ｎのゲインの補正値のデータ）を生成し、この補正データを増幅回路１３−１〜１３−Ｎに与える。
【００４５】
次に、このリア式液晶プロジェクタにおける輝度の補正動作を説明する。このリア式液晶プロジェクタの電源が投入されると、制御回路９は、信号発生回路４からの内蔵信号を選択させる選択制御信号をセレクタ８に与えるとともに、信号発生回路４から図３に示したような内蔵信号を発生させる。
【００４６】
これにより、この内蔵信号がセレクタ８から出力して駆動回路１１内の並列化回路１２に供給される。
【００４７】
そして、制御回路９は、最初に、一定期間に亘り、この内蔵信号のうちのグレーレベルのパルスの部分が出力端子ｏ１から出力されるようにサンプリングの位相を切り換える制御信号を、並列化回路１２に与える。
【００４８】
これにより、並列化回路１２では、出力端子ｏ１からはグレーレベルの信号が出力するが、残りの出力端子ｏ２〜ｏＮからは全て黒レベルの信号が出力する。
【００４９】
これらの信号は、増幅回路１３−１〜−１３Ｎで増幅され、駆動回路１１から液晶パネル２１に送られる。そして、図６を用いて説明したように、液晶パネル２１の表示電極Ｓｉｇ１〜ＳｉｇＮに供給される。
【００５０】
したがって、このとき、液晶パネル２１では、１チャンネル目の表示電極Ｓｉｇ１上の画素のみから光が出射し、２〜Ｎチャンネル目の表示電極Ｓｉｇ２〜ＳｉｇＮ上の画素からは光が出射しない。
【００５１】
そして、この１チャンネル目の表示電極Ｓｉｇ１上の画素からの光がスクリーン２に投射されるので、スクリーン２に取り付けた各フォトダイオード３でこの光が検出される。
【００５２】
各フォトダイオード３でのこの光の検出信号は、検出信号入力回路５に取り込まれて増幅及び加算された後、積分回路６に送られる。
【００５３】
制御回路９は、検出信号入力回路５からの信号を一定期間に亘って平均化させる制御信号を積分回路６に与える。この平均化を行うことにより、比較的安価な光検出素子であるフォトダイオード３を用いても検出精度を高めることができるとともに、検出信号入力回路５での取り込みタイミングのずれ等による誤差を吸収することができる。
【００５４】
また、制御回路９は、積分回路６からの信号をメモリ７ａ内の１チャンネル目についての光の検出結果の記憶領域に記憶させる制御信号を、補正データ生成回路７に与える。
【００５５】
これにより、メモリ７ａ内のこの記憶領域に、液晶パネル２１の１チャンネル目の表示電極Ｓｉｇ１上の画素からの光の検出結果が記憶される。
【００５６】
続いて、制御回路９は、一定期間に亘り、セレクタ８からの内蔵信号のうちのグレーレベルのパルスの部分が出力端子ｏ２から出力されるようにサンプリングの位相を切り換える制御信号を、並列化回路１２に与える。
【００５７】
これにより、並列化回路１２では、出力端子ｏ２からはグレーレベルの信号が出力するが、残りの出力端子ｏ１，ｏ３〜ｏＮからは全て黒レベルの信号が出力する。
【００５８】
これらの信号は、増幅回路１３−１〜−１３Ｎで増幅され、駆動回路１１から液晶パネル２１に送られて表示電極Ｓｉｇ１〜ＳｉｇＮに供給される。
【００５９】
したがって、このとき、液晶パネル２１では、２チャンネル目の表示電極Ｓｉｇ２上の画素のみから光が出射し、１，３〜Ｎチャンネル目の表示電極Ｓｉｇ１，Ｓｉｇ３〜ＳｉｇＮ上の画素からは光が出射しないので、２チャンネル目の表示電極Ｓｉｇ２上の画素からの光が各フォトダイオード３で検出される。
【００６０】
各フォトダイオード３でのこの光の検出信号は、検出信号入力回路５に取り込まれて増幅及び加算された後、積分回路６に送られる。
【００６１】
制御回路９は、検出信号入力回路５からの信号を一定期間に亘って平均化させる制御信号を積分回路６に与えるとともに、積分回路６からの信号をメモリ７ａ内の２チャンネル目についての光の検出結果の記憶領域に記憶させる制御信号を、補正データ生成回路７に与える。
【００６２】
これにより、メモリ７ａ内のこの記憶領域に、液晶パネル２１の２チャンネル目の表示電極Ｓｉｇ１上の画素からの光の検出結果が記憶される。
【００６３】
以下、制御回路９は、同様な制御を繰り返すことにより、液晶パネル２１の３チャンネル目〜Ｎチャンネル目の表示電極Ｓｉｇ３〜ＳｉｇＮ上の画素からの光の輝度の検出結果を、補正データ生成回路７のメモリ７ａに順次記憶させていく。
【００６４】
そして、液晶パネル２１の全てのチャンネルについての光の検出結果がメモリ７ａに記憶されると、制御回路９は、補正データを作成する制御信号を補正データ生成回路７に与える。補正データ生成回路７は、この制御信号に基づき、メモリ７ａに記憶した各チャンネルについての光の検出結果の偏差を求め、液晶パネル２１の各チャンネルからの光量を１チャンネル目を基準として一致させるためのゲインの補正値のデータを生成して、この補正データを増幅回路１３−２〜１３−Ｎに与える。
【００６５】
この補正データが増幅回路１３−２〜１３−Ｎに与えられると、制御回路９は、このリア式液晶プロジェクタ内の映像処理回路からの映像信号を選択させる選択制御信号をセレクタ８に与える。そして、補正動作を終了する。
【００６６】
その後、映像処理回路からセレクタ８を経て駆動回路１１に映像信号が供給されると、駆動回路１１では、並列化回路１２で並列化されたＮチャンネルの映像信号が、増幅回路１３−１〜１３−Ｎにおいて、補正データ生成回路７からの補正データに基づき、液晶パネル２１の各チャンネルからの光量が互いに一致するようなゲインでそれぞれ増幅される。そして、このように増幅されたＮチャンネルの映像信号が、駆動回路１１から液晶パネル２１に送られて表示電極Ｓｉｇ１〜ＳｉｇＮに供給される。
【００６７】
これにより、液晶パネル２１の各チャンネルの表示電極Ｓｉｇ１〜ＳｉｇＮ上の画素からの光量が互いに一致するので、スクリーン２に表示される映像にはチャンネル間の輝度の偏差が生じなくなる。したがって、図８に示したようなチャンネル間の輝度の偏差を原因とするノイズがスクリーン２に表示されることはなくなる。
【００６８】
このように、このリア式液晶プロジェクタでは、リア式液晶プロジェクタ単体で、液晶パネル２１の各チャンネルからの光の検出結果に基づいて、このチャンネル間での輝度の偏差が自動的に補正されるようになっている。
【００６９】
したがって、例えば製造時やメンテナンス時にこの補正を行う場合には、調整工数及び部品点数の増加を招くことなく補正を行えるようになっている。
【００７０】
また、出荷後やメンテナンス後の通常の使用時にもこの補正が行われるので、使用環境の変化や経時変化とは無関係に補正を行えるようになっている。
【００７１】
また、駆動回路１１内には各増幅回路１３−１〜１３−Ｎの出力レベルを検出する回路やフィードバック制御回路を設けないので、駆動回路１１の回路規模の大型化を招くことなく補正を行えるようになっている。
【００７２】
また、液晶パネル２１の各チャンネルからの光を検出するための信号を、駆動回路１１内の並列化回路１２を利用して作成しているので、輝度補正用の信号処理系（信号発生回路４〜セレクタ８）の回路規模も最小限に抑えられている。
【００７３】
また、液晶パネル２１自体からの光の検出結果に基づいて補正を行うので、液晶パネル２１自体の特性を原因とするチャンネル間での輝度の偏差も補正できるようになっている。
【００７４】
なお、ここでは電源投入時に輝度の補正動作を行う例を説明したが、例えば、液晶プロジェクタのリモートコントローラに輝度補正用の操作釦を設け、この釦の操作に基づいて制御回路９が補正動作を開始するようにしてもよい。
【００７５】
また、ここではスクリーン２にフォトダイオード３を４個取り付けたが、フォトダイオード３を少なくとも１個スクリーン２に取り付けるようにすればよい。
【００７６】
また、ここではスクリーン２にフォトダイオード３を取り付けたが、別の例として、液晶パネル２１の周辺部（スクリーン２の有効表示領域外の部分に対応する部分）や、液晶パネル２１・スクリーン２間の光路の近傍にフォトダイオード３を取り付けるようにしてもよい。
【００７７】
また、ここでは信号発生回路４からの内蔵信号のグレーレベルを１通りにしたが、この内蔵信号のグレーレベルを複数通りにしてそれぞれについての液晶パネル２１からの光の検出結果を補正データ生成回路７のメモリ７ａに記憶し、映像処理回路から映像信号のレベルに応じて、それに近いグレーレベルについての検出結果から生成した補正データを補正データ生成回路７から増幅回路１３−２〜１３−Ｎに与えるようにしてもよい。
【００７８】
最後に、本発明をフロント式（前面投射式）液晶プロジェクタや直視型の液晶ディスプレイに適用した例について説明する。
【００７９】
図４は、本発明を適用した並列化駆動方式のフロント式液晶プロジェクタにおける、光検出手段としてのフォトダイオードの取り付け位置を示す。フロント式液晶プロジェクタ３１の投射レンズ３２を覆うレンズキャップ３３の内側に、フォトダイオード３４が取り付けられている（図ではフォトダイオード３４を１個のみ示したが、フォトダイオード３４を複数個取り付けてもよい）。
【００８０】
このフロント式液晶プロジェクタ３１の輝度補正用の信号処理系の構成は、図２に示したのと同じである。レンズキャップ３３，フロント式液晶プロジェクタ３１には、それぞれフォトダイオード３４の出力信号を図１の検出信号入力回路５に送るための端子（図示略）が設けられている。
【００８１】
図５は、本発明を適用した並列化駆動方式の直視型液晶ディスプレイ（例えばパーソナルコンピュータの本体と一体にされた液晶ディスプレイ）における、光検出手段としてのフォトダイオードの取り付け位置を示す。液晶ディスプレイ４１には表示画面４２を覆う開閉式のカバー４３が設けられており、このカバー４３の内側にフォトダイオード４４が取り付けられている（図ではフォトダイオード４４を１個のみ示したが、フォトダイオード４４を複数個取り付けてもよい）。この液晶ディスプレイ４１の輝度補正用の信号処理系の構成も、図２に示したのと同じである。
【００８２】
この図４のフロント式液晶プロジェクタ３１や図５の液晶ディスプレイ４１でも、投射レンズ３２をレンズキャップ３３で覆った状態や表示画面４２をカバー４３で覆った状態で、液晶パネルの各チャンネルからの光をフォトダイオード３４やフォトダイオード４４で検出して、チャンネル間での輝度の偏差を自動的に補正することができる。
【００８３】
なお、以上の例では液晶パネルからの光をフォトダイオードで検出しているが、フォトダイオード以外の光検出素子でこの光を検出してもよい。
【００８４】
また、以上の例では液晶プロジェクタや直視型の液晶ディスプレイといった液晶表示装置に本発明を適用したが、液晶パネル以外の表示素子を用いた投射型や直視型の表示装置であって映像信号を表示素子の複数チャンネルの表示電極に並列化して供給する駆動方式の表示装置にも本発明を適用してよい。
【００８５】
また、本発明は、以上の例に限らず、本発明の要旨を逸脱することなく、その他様々の構成をとりうることはもちろんである。
【００８６】
【発明の効果】
以上のように、本発明に係る表示装置によれば、映像信号を表示素子の複数チャンネルの表示電極に並列化して供給する駆動方式の表示装置において、表示装置単体で、表示素子の各チャンネルからの光の検出結果に基づいてこれらのチャンネル間での輝度の偏差が補正される。
【００８７】
したがって、例えば製造時やメンテナンス時に、調整工数及び部品点数の増加を招くことなくチャンネル間での輝度の偏差を補正できるという効果が得られる。
【００８８】
また、出荷後やメンテナンス後の通常の使用時にもこの補正を行うことができるので、使用環境の変化や経時変化とは無関係にチャンネル間での輝度の偏差を補正できるという効果が得られる。
【００８９】
また、表示装置内の駆動回路には出力信号レベルの偏差の検出回路やフィードバック制御回路を設ける必要がないので、駆動回路の回路規模の大型化を招くことなくチャンネル間での輝度の偏差を補正できるという効果が得られる。
【００９０】
また、表示素子自体からの光の検出結果に基づいてこの補正を行うので、表示素子自体の特性を原因とするチャンネル間での輝度の偏差も補正できるという効果が得られる。
【００９１】
また、表示素子の各チャンネルからの光を検出するための信号を駆動回路内の並列化手段を利用して作成することにより、輝度補正用の信号処理系の回路規模を最小限に抑えることができるという効果も得られる。
【００９２】
次に、本発明に係る輝度補正方法によれば、表示素子の各チャンネルからの光の検出結果に基づいてこれらのチャンネル間での輝度の偏差を補正するので、駆動回路の回路規模の大型化を招くことなくチャンネル間での輝度の偏差を補正できるという効果や、表示素子自体の特性を原因とするチャンネル間での輝度の偏差も補正できるという効果が得られる。
【図面の簡単な説明】
【図１】本発明を適用したリア式液晶プロジェクタにおけるフォトダイオードの取り付け位置を示す図である。
【図２】本発明を適用したリア式液晶プロジェクタの輝度補正用の信号処理系の構成を示す図である。
【図３】図２の信号発生回路からの内蔵信号を示す図である。
【図４】本発明を適用したフロント式液晶プロジェクタにおけるフォトダイオードの取り付け位置を示す図である。
【図５】本発明を適用した直視型液晶ディスプレイにおけるフォトダイオードの取り付け位置を示す図である。
【図６】並列化駆動方式の液晶表示装置の駆動回路及び液晶パネルの部分を示す図である。
【図７】図６の並列化クロックを示す図である。
【図８】液晶パネルのチャンネル間の輝度の偏差を原因とするノイズを示す図である。
【符号の説明】
１　リア式液晶プロジェクタ、　２　スクリーン、　３　フォトダイオード、４　信号発生回路、　５　検出信号入力回路、　６　積分回路、　７　補正データ生成回路、　８　セレクタ、　９　制御回路、　１１　駆動回路、　１２　並列化回路、　１３−１〜１３−Ｎ　増幅回路、　２１　液晶パネル、　Ｓｉｇ１〜ＳｉｇＮ　表示電極
【図１】
2004053675.tif 000003
【図２】
2004053675.tif 000004
【図３】
2004053675.tif 000005
【図４】
2004053675.tif 000006
【図５】
2004053675.tif 000007
【図６】
2004053675.tif 000008
【図７】
2004053675.tif 000009
【図８】
2004053675.tif 000010